(57)【要約】【課題】ノズルの清浄性を向上し得る便器装置を提供する。【解決手段】進退自在とされた局部洗浄用のノズル１２を備えた便器装置１であって、進出状態とされた前記ノズルに殺菌光を照射する殺菌光照射部２０と、進出状態とされた前記ノズルを進退方向に沿う軸廻りに回転させる回転駆動部１８と、該回転駆動部及び前記殺菌光照射部を制御して前記殺菌光を照射させた状態で前記ノズルを前記軸廻りに回転させる制御部２１と、を備えている。【選択図】図１
2017008605.tif 000002
【特許請求の範囲】
【請求項１】
進退自在とされた局部洗浄用のノズルを備えた便器装置であって、
進出状態とされた前記ノズルに殺菌光を照射する殺菌光照射部と、進出状態とされた前記ノズルを進退方向に沿う軸廻りに回転させる回転駆動部と、該回転駆動部及び前記殺菌光照射部を制御して前記殺菌光を照射させた状態で前記ノズルを前記軸廻りに回転させる制御部と、を備えていることを特徴とする便器装置。
【請求項２】
請求項１において、
前記ノズルは、給水元に接続され、局部洗浄水を吐出する吐出孔が設けられた給水管と、この給水管を収容し、前記吐出孔に連通するノズル孔が設けられたノズル本体と、を備えており、
前記回転駆動部は、前記給水管に対して前記ノズル本体を前記軸廻りに回転させる構成とされていることを特徴とする便器装置。
【請求項３】
請求項１または２において、
前記制御部は、局部洗浄が終了し、かつ便蓋が閉鎖された状態で、前記回転駆動部及び前記殺菌光照射部を制御して前記殺菌光を照射させた状態で前記ノズルを前記軸廻りに回転させることを特徴とする便器装置。
【発明の詳細な説明】
【技術分野】
【０００１】
本発明は、局部洗浄用のノズルを備えた便器装置に関する。
【背景技術】
【０００２】
従来より、使用者の局部に向けて洗浄水を供給するノズルを設けた便器装置が知られている。このような便器装置においては、ノズルに汚水等が付着し、細菌が繁殖したりすることが考えられる。
例えば、下記特許文献１には、便蓋の裏面に紫外線ＬＥＤを設け、この紫外線ＬＥＤからの紫外線を、突出した状態のノズル本体に対して照射する構成とした洋風便器が開示されている。
【先行技術文献】
【特許文献】
【０００３】
【特許文献１】特開２００６−３１６６０７号公報
【発明の概要】
【発明が解決しようとする課題】
【０００４】
しかしながら、上記特許文献１に記載された洋風便器では、便蓋の裏面からの紫外線がノズル本体の便蓋とは異なる側に向く外周面（下方側の外周面）に照射され難いことが考えられ、更なる改善が望まれる。
【０００５】
本発明は、上記実情に鑑みてなされたものであり、ノズルの清浄性を向上し得る便器装置を提供することを目的としている。
【課題を解決するための手段】
【０００６】
前記目的を達成するために、本発明に係る便器装置は、進退自在とされた局部洗浄用のノズルを備えた便器装置であって、進出状態とされた前記ノズルに殺菌光を照射する殺菌光照射部と、進出状態とされた前記ノズルを進退方向に沿う軸廻りに回転させる回転駆動部と、該回転駆動部及び前記殺菌光照射部を制御して前記殺菌光を照射させた状態で前記ノズルを前記軸廻りに回転させる制御部と、を備えていることを特徴とする。
【発明の効果】
【０００７】
本発明に係る便器装置は、上述のような構成としたことで、ノズルの清浄性を向上させることができる。
【図面の簡単な説明】
【０００８】
【図１】本発明の一実施形態に係る便器装置の一例を模式的に示し、図３におけるＸ部に対応させた一部破断概略拡大縦断面図である。
【図２】図１に対応させた一部破断概略拡大縦断面図である。
【図３】同便器装置を模式的に示す一部破断概略縦断面図である。
【図４】同便器装置において実行される基本動作の一例を模式的に示す概略タイムチャートである。
【発明を実施するための形態】
【０００９】
以下に本発明の実施の形態について、図面に基づいて説明する。
図１〜図３は、本実施形態に係る便器装置を模式的に示す図である。
なお、以下の実施形態では、便器装置を設置した状態を基準として上下方向等の方向を説明する。
【００１０】
本実施形態に係る便器装置１は、図３に示すように、床等の設置面に設置される着座式のいわゆる洋式の便器装置とされている。
この便器装置１には、上方に向けて開口するすり鉢状とされたボウル部（便鉢）２や、給排水管に接続される給排水機構等が設けられている。
また、便器装置１には、ボウル部２に対して開閉自在（起倒自在）とされた便座７や便蓋８が設けられている。
【００１１】
また、この便器装置１に、脱臭装置や、便座７や局部洗浄用水等を温める加熱装置、洗浄水に洗剤を含ませる洗剤供給装置、洗浄水に殺菌成分を含ませる殺菌成分供給装置等の各種機能装置や機構部材を設けた構成としてもよい。
また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１２】
また、便器装置１は、給水元となる給水管（水道管）に接続され、ボウル部２に洗浄水を供給する洗浄水給水機構を備えている。このような洗浄水給水機構としては、リム部３に沿わせるように洗浄水を給水し、ボウル部２を洗浄する構成とされたものとしてもよい。図例では、便器装置１を、水洗タンクを備えていない、いわゆるタンクレスタイプのものとした例を示している。この便器装置１は、水道直圧式としてもよい。なお、便器装置１の給水機構としては、このようなタンクレスタイプに限られず、水洗タンクを備えた構成としてもよい。
また、便器装置１には、洗浄水給水機構を作動させて洗浄水をボウル部２に供給する洗浄操作部が設けられている。このような洗浄操作部としては、操作レバーや操作ボタン等としてもよく、また、人体検知センサーや着座センサー等の各種センサーを洗浄操作部として把握、つまり、検知を操作と把握するような態様としてもよい。
この洗浄水給水機構の洗浄操作がなされれば、リム部３に沿うように洗浄水が供給され、ボウル部２内面の洗浄がなされる。
【００１３】
また、便器装置１には、外部排水管に連通し、排水機構を構成するトラップ部６が設けられている。図例では、トラップ部６を、一端がボウル部２の下部に設けられた排水管部に接続され、他端の排水口が上方側を向きボウル部２に溜水可能とする溜水状態と下方側を向く排水状態とに切り替えられる、いわゆるターントラップ式のものとしている。なお、便器装置１に設けられるトラップ部６としては、このようなターントラップ式に限られず、サイホンゼット式やサイホン式、サイホンボルテックス式、ネオボルテックス式、洗い落とし式等の他の排水機構を採用するようにしてもよい。
【００１４】
また、便器装置１のボウル部２の便器奥行方向奥側の上側部位には、便座７や便蓋８等を開閉自在に保持する機構部等が設けられた上ケース部９が設けられている。
本実施形態では、便器装置１に、開放（起立）された便蓋８を閉鎖（倒伏）させるモーター等を有した便蓋閉鎖機構を設けている。なお、この便蓋閉鎖機構は、閉鎖された便蓋８を開放可能な構成とされたものとしてもよく、便座７の開閉（起倒）をも可能な構成とされたものとしてもよい。
また、便器装置１には、便蓋８の開閉を検知する便蓋センサーが設けられている。このような便蓋センサーとしては、便蓋８の起立または倒伏によって操作されるリミットスイッチや、便蓋８の枢軸の回転角を検出する回転角センサー、その他、種々のセンサーとしてもよい。
【００１５】
また、便器装置１は、進退自在とされた局部洗浄用のノズル１２を有した局部洗浄部１０と、進出状態とされたノズル１２に殺菌光を照射する殺菌光照射部２０と、を備えている。
殺菌光照射部２０は、殺菌作用を有する殺菌光を照射する構成とされている。このような殺菌光照射部２０としては、紫外線領域の不可視光線を照射する構成とされたものとしてもよく、また、不可視光線に代えて、または加えて可視光線を照射する構成とされたものとしてもよい。このような殺菌光照射部２０としては、キセノンランプや、高圧水銀ランプや低圧水銀ランプ等の水銀ランプ、ＬＥＤ等の殺菌光源を備えたものとしてもよく、その他、種々の殺菌光源を備えたものとしてもよい。
【００１６】
本実施形態では、図３に示すように、殺菌光照射部２０を、進出状態とされたノズル１２に対してノズル１２の径方向一方側から照射する構成としている。また、殺菌光照射部２０を、進出状態とされたノズル１２に加え、ボウル部２の内面に殺菌光を照射可能な構成としている。また、殺菌光照射部２０を、閉鎖状態で下方側に向く便蓋８の裏面に設けている。この殺菌光照射部２０は、倒伏状態とされた便座７によって殺菌光が遮られないように、便蓋８が閉鎖された状態で、平面視して便座７の開口と重なり合う位置となるように設けられたものとしてもよい。
また、この殺菌光照射部２０の配設位置は、進出状態とされたノズル１２に効果的に照射可能なように適宜の位置とすればよい。図例では、殺菌光照射部２０を、便蓋８が閉鎖された状態で、ボウル部２の便器奥行方向中央部位よりも便器奥行方向奥側に位置するように設けた例を示している。また、殺菌光照射部２０を、便器幅方向略中央部位に位置するように設けた構成としてもよい。
【００１７】
なお、殺菌光照射部２０としては、殺菌光源自体を便蓋８の裏面に設けたものに限られず、例えば、殺菌光源を上ケース部９内等に設け、この殺菌光源からの殺菌光を適宜の導光体によって導光し、便蓋８の裏面から照射する構成とされたものとしてもよい。
また、殺菌光照射部２０としては、便蓋８の裏面に設けられたものに限られず、便座７の裏面やボウル部２内の適所に設けられたものとしてもよい。また、殺菌光照射部２０は、起動（ＯＮ）された際に、殺菌光を連続的に照射する構成とされたものに限られず、パルス的（間欠的）に照射する構成とされたものとしてもよい。進出状態とされたノズル１２に殺菌光を照射する殺菌光照射部２０としては、その他、種々の変形が可能である。
【００１８】
局部洗浄部１０は、図１〜図３に示すように、ノズル１２を進退自在にガイドするノズルケース１６と、ノズル１２を進退させる進退駆動部１７と、進出状態とされたノズル１２を進退方向に沿う軸廻りに回転させる回転駆動部１８と、を備えている。図例では、この局部洗浄部１０を、上ケース部９内に組み込んだ例を示している。
ノズル１２は、略円筒状とされており、その長手方向に沿って進退される構成とされている。本実施形態では、このノズル１２を、ボウル部２の上端部内壁の便器奥行方向奥側に設けられた開口４を介して便器奥行方向手前側となるボウル部２内の中心側に向けて突出するように進出される構成としている。また、このノズル１２を、斜め下方側に向けて進出される構成としている。
【００１９】
開口４は、ノズル１２の進出方向先側となるボウル部２の上端部内壁を貫通するように設けられている。なお、図例では、ボウル部２の上端部内壁を、上ケース部９から一連状に形成されたものとした例を示しているが、別体とされたものとしてもよい。また、図例では、この開口４を開閉するノズル蓋５を設けた例を示している。このノズル蓋５は、図２に示すように、閉鎖状態で、ボウル部２の上端部内壁に沿うように配され、便器奥行方向に厚さ方向を沿わせた略板状とされている。
ノズルケース１６は、ノズル１２の長手方向に長手方向を沿わせた略円筒状とされ、便器奥行方向手前側の斜め下方側に向けて開口している。このノズルケース１６は、ノズル１２と同軸状となるように設けられており、ノズル１２の収容が可能なように、ノズル１２よりも大径状とされている。
【００２０】
また、ノズル１２は、図２に示すように、収納位置とされれば、ノズルケース１６の先端開口から露出しないように、ノズルケース１６内に収納される。図例では、収納位置とされたノズル１２の先端（進出方向先端）とノズルケース１６の先端とを一致させた例を示しているが、収納位置とされたノズル１２の先端がノズルケース１６の先端よりもノズルケース１６内の奥側に位置する態様としてもよい。
一方、ノズル１２は、図１及び図３に示すように、洗浄位置とされれば、ノズルケース１６から突出するように進出した状態となる。
本実施形態では、ノズル１２を、給水元に接続され、局部洗浄水を吐出する吐出孔１４ａ，１４ｂが設けられた給水管１４と、この給水管１４を収容し、吐出孔１４ａ，１４ｂに連通するノズル孔１３ａが設けられたノズル本体１３と、を備えた構成としている。つまり、本実施形態では、ノズル１２を二重筒構造としている。また、回転駆動部１８を、給水管１４に対してノズル本体１３をノズル１２の進退方向に沿う軸廻りに回転させる構成としている。
【００２１】
給水管１４は、ノズル１２の進退方向に沿って長尺状とされ、略円筒状とされている。また、給水管１４は、後記するように回転されるノズル本体１３とともに回転しないように廻り止めがなされ、かつ、ノズル本体１３とともに進退される構成とされている。
また、この給水管１４の基端部には、給水元からの局部洗浄水を供給する給水路１５に接続された接続部１４ｃが設けられている。図例では、この接続部１４ｃを、ノズルケース１６の外周壁部を貫通させるように、ノズル１２の径方向に突出させた例を示している。また、ノズルケース１６の外周壁部に、ノズル１２の進退に伴い同方向にスライドする接続部１４ｃが挿通されるスリット状の開口を設けた例を示している。なお、給水管１４の接続部１４ｃとしては、このような態様に限られず、ノズルケース１６の基端部に設けられた開口を介して挿入された給水路１５が接続される構成とされたものとしてもよい。また、給水路１５は、ノズル１２の進退に伴い同方向にスライドする接続部１４ｃに追従可能なように、柔軟性を有したチューブ等からなるものとしてもよい。また、この給水路１５の給水元側には、局部洗浄水を供給または遮断する開閉弁や局部洗浄水を加熱するヒーター等が設けられている。なお、この局部洗浄部１０の給水路１５は、ボウル部２に洗浄水を供給する給水機構から分岐して設けられたものとしてもよい。また、この局部洗浄部１０に、洗浄水を貯留して加熱する小型タンクを設けた構成としてもよく、この場合は、適宜のポンプ等を設けた構成としてもよい。
【００２２】
吐出孔１４ａ，１４ｂは、給水管１４の先端部（進出方向先端部）に設けられている。本実施形態では、給水管１４の先端部に、進退方向に間隔を空けて、複数（図例では２つ）の吐出孔１４ａ，１４ｂを設けた構成としている。これら複数の吐出孔１４ａ，１４ｂのそれぞれを、臀部用及びビデ用としてもよい。また、これら複数の吐出孔１４ａ，１４ｂの口径や噴出方向を、用途に応じて適宜、設定するようにしてもよい。
また、本実施形態では、給水管１４の基端側部位に、吐出孔１４ａ，１４ｂの個数に応じた複数（図例では、２つ）の係合部１４ｄ，１４ｄを、吐出孔１４ａ，１４ｂの間隔に応じた間隔を空けて設けている。図例では、係合部１４ｄ，１４ｄを、給水管１４の外周面の全周に亘って設けられた環状凹溝としている。
【００２３】
ノズル本体１３は、ノズル１２の進退方向に沿って長尺状とされ、略円筒状とされている。このノズル本体１３は、給水管１４と同軸状に配され、給水管１４の概ね全体を覆うように収容し、ノズル１２の外郭部を構成する。このノズル本体１３の基端部には、給水管１４を受け入れる受入開口１３ｃが退入方向に向けて開口するように設けられている。
ノズル孔１３ａは、このノズル本体１３の先端部（進出方向先端部）に設けられている。本実施形態では、単一のノズル孔１３ａに対して、給水管１４の複数の吐出孔１４ａ，１４ｂのうちのいずれか１つが連通するように、ノズル本体１３に対して給水管１４が進退方向に変位される構成としている。また、ノズル本体１３の基端側部位に、上記した給水管１４の基端側部位に設けられた複数の係合部１４ｄ，１４ｄのうちのいずれか１つに係合する被係合部１３ｄを設けている。図例では、被係合部１３ｄを、ノズル本体１３の内周面の略全周に亘って設けられた環状突部としている。この被係合部１３ｄが給水管１４の係合部１４ｄ，１４ｄのうちのいずれか１つに係合すれば、ノズル本体１３のノズル孔１３ａと給水管１４の吐出孔１４ａ，１４ｂのうちのいずれか１つとが連通可能な構成とされている。なお、ノズル本体１３は、耐久性や清浄性等の観点等から、適宜の金属系材料や硬質の合成樹脂系材料から形成されたものとしてもよく、好ましくは、ステンレス等の防錆性を有する金属系材料から形成されたものとしてもよい。
【００２４】
進退駆動部１７は、ノズル１２を洗浄位置と収納位置とに進退させる構成とされている。本実施形態では、進退駆動部１７を、ノズル１２の進退方向に直交する方向となる便器幅方向に沿う軸廻りに回転するモーター１７ａと、このモーター１７ａの出力軸に設けられた駆動伝達部１７ｂと、を備えた構成としている。図例では、ノズルケース１６の下面側部位の一部に、ノズル１２を露出させ、駆動伝達部１７ｂを受け入れる開口部を設け、この開口部を介して駆動伝達部１７ｂをノズル１２（ノズル本体１３）の外周部に当接させた例を示している。このような駆動伝達部１７ｂとしては、ノズル本体１３の外周部に設けられたラックに噛み合うギアとしてもよく、その他、種々の変形が可能である。
この進退駆動部１７のモーター１７ａを正回転させれば、ノズル１２が洗浄位置に進出される一方、モーター１７ａを逆回転させれば、洗浄位置とされたノズル１２が収納位置に退入される（図４参照）。なお、進退駆動部１７を、ノズル１２の洗浄位置を進退方向に沿って多段階的に調整可能な構成とし、洗浄位置を調整する操作部を適所に設けた態様としてもよい。また、進退駆動部１７としては、上記のような態様に限られず、種々の変形が可能である。
【００２５】
回転駆動部１８は、ノズルケース１６及び給水管１４に対して、ノズル本体１３をノズル１２の進退方向に沿う軸、つまり、ノズル１２の長手方向に軸方向を沿わせた軸廻りに回転させる構成とされている。本実施形態では、回転駆動部１８を、ノズル１２の進退方向に沿う軸廻りに回転するモーター１８ａと、このモーター１８ａの出力軸に設けられた駆動伝達部１８ｂと、を備えた構成としている。図例では、ノズルケース１６の下面側部位の一部に、ノズル１２（ノズル本体１３）を露出させ、駆動伝達部１８ｂを受け入れる開口部を設け、この開口部を介して駆動伝達部１８ｂをノズル１２（ノズル本体１３）の外周部に当接させた例を示している。このような駆動伝達部１８ｂとしては、ノズル本体１３の外周部に設けられた被伝達部を構成するギア１３ｂに噛み合うギアとしてもよい。ノズル本体１３のギア１３ｂは、ノズル本体１３の基端部に設けられており、ノズル１２が洗浄位置とされれば、回転駆動部１８の駆動伝達部１８ｂに噛み合う構成とされている。
【００２６】
ノズル１２を洗浄位置とし、回転駆動部１８のモーター１８ａを回転させれば、ノズル本体１３がノズル１２の進退方向に沿う軸廻りに回転する。なお、回転駆動部１８は、ノズル本体１３のノズル孔１３ａが給水管１４の吐出孔１４ａ，１４ｂのうちのいずれか１つに連通するように停止されるものとしてもよい。この場合、例えば、回転駆動部１８のモーター１８ａを、回転位置の制御が可能なブレーキ付きのモーターや、サーボモーター、エンコーダ付モーターやステッピングモーター等としてもよい。また、適宜、駆動伝達部１８ｂまたはノズル本体１３の回転位置を検出する回転角センサー等の検出器を設けるようにしてもよい。なお、回転駆動部１８としては、上記のような態様に限られず、種々の変形が可能である。また、ノズルケース１６の適所にノズル本体１３を軸廻りに回転自在に保持する適宜の軸受を設けるようにしてもよい。
【００２７】
上記構成とされた局部洗浄部１０は、便器装置１のリモコン装置や、便座７の側方部位等に設けられた局部洗浄操作部１１（図４参照）によって操作がなされる。
この局部洗浄操作部１１の操作（開始（ＯＮ）操作）がなされれば、ノズル１２が洗浄位置に進出し、ノズル孔１３ａから洗浄水が吐出される。なお、この局部洗浄操作部１１は、局部洗浄開始（ＯＮ）操作と停止（ＯＦＦ）操作とが可能な構成とされたものとしてもよく、または、別途に停止操作部を設けたような態様としてもよい。さらには、局部洗浄操作部１１の操作（開始操作）後に、所定時間が経過すれば、局部洗浄を停止するような態様とされたものとしてもよい。
また、上記のように、ノズル１２を、臀部用とビデ用とに対応可能とした場合には、臀部用の局部洗浄操作部１１とビデ用の局部洗浄操作部１１とを設けた態様としてもよい。また、局部洗浄部１０に、洗浄水の水勢調整や洗浄水の温度調整を可能とする機構や操作部等を設けた態様としてもよい。
【００２８】
また、便器装置１は、上記した各部を制御する制御部２１を備えている。
この制御部２１は、便器装置１の適所に設けるようにしてもよく、または、壁面等に設置される便器装置１が備えるリモコン装置に設けるようにしてもよい。
また、制御部２１には、例えば、ＣＰＵ等の制御回路や、メモリ等によって構成され、後記する基本動作例を含む各種動作プログラム等を記憶する記憶部等が設けられている。
この制御部２１によって後記する基本動作の実行がなされる。
この制御部２１は、殺菌光を照射させた状態でノズル１２を軸廻りに回転させるように回転駆動部１８及び殺菌光照射部２０を制御する構成とされている。
また、本実施形態では、制御部２１を、局部洗浄が終了し、かつ便蓋８が閉鎖された状態で、殺菌光を照射させた状態でノズル１２を軸廻りに回転させるように回転駆動部１８及び殺菌光照射部２０を制御する構成としている。
以下、本実施形態に係る便器装置１において実行される基本動作の一例を、図４を参照して説明する。
【００２９】
図４に示すように、本動作例では、局部洗浄がなされた後、便蓋８が閉鎖されれば、ノズル１２を殺菌するノズル殺菌モードを実行する構成としている。
つまり、局部洗浄操作部１１のＯＮ操作がなされれば、進退駆動部１７を正回転させてノズル１２を洗浄位置に向けて進出させ、洗浄位置となれば、給水管１４に局部洗浄水を供給し、ノズル１２のノズル孔１３ａから局部洗浄水を吐出させる。そして、局部洗浄操作部１１のＯＦＦ操作がなされれば、局部洗浄水の供給を停止させ、進退駆動部１７を逆回転させてノズル１２を収納位置に向けて退入させる。
そして、ノズル１２が収納位置とされた後、便蓋８が閉鎖されれば、進退駆動部１７を正回転させて収納位置とされたノズル１２を進出させ、殺菌光照射部２０を起動させる（ＯＮとする）。図例では、便蓋８の閉鎖、ノズル１２の進出開始及び殺菌光照射部２０の起動が同時になされるように示しているが、適宜の遅延時間等を設けてもよい。
また、便蓋８の閉鎖は、上記した着座センサーや人体検知センサー等が人体の不在を検出すれば、便蓋閉鎖機構によってなされるものとしてもよく、使用者の操作等によってなされるものとしてもよい。
【００３０】
そして、ノズル１２が洗浄位置となれば、進退駆動部１７を停止させ、回転駆動部１８を起動させ（ＯＮとし）、殺菌光を照射させた状態で、ノズル１２を軸廻りに回転させる。
このノズル１２の回転は、１回転のみでもよく、また、複数回転させるようにしてもよい。また、ノズル１２を、所定回数回転させる態様としてもよく、または、所定時間が経過するまで回転させる態様としてもよい。また、ノズル１２を、一方向のみに回転させる態様に限られず、反転させる態様等としてもよい。
そして、ノズル１２を回転させてノズル１２の殺菌がなされれば、回転駆動部１８を停止（ＯＦＦ）し、進退駆動部１７を逆回転させてノズル１２を収納位置とする。また、殺菌光照射部２０をＯＦＦとする。図例では、ノズル１２の収納と殺菌光照射部２０のＯＦＦとが同時になされるように示しているが、適宜の遅延時間等を設けてもよい。
【００３１】
なお、上記基本動作は、一例に過ぎず、種々の変形が可能である。
上記した例では、ノズル１２を進出させる際及び退入させる際にも殺菌光を照射させた状態とした例を示しているが、いずれか一方の際のみに殺菌光を照射させる態様としてもよく、または、洗浄位置とされた状態でのみ殺菌光を照射させる態様としてもよい。
また、上記した例では、ノズル１２を洗浄位置とした状態でノズル１２を回転させる態様とした例を示しているが、ノズル１２を進退させながらノズル１２を回転させる態様としてもよい。この場合は、ノズル１２の進退駆動部１７や回転駆動部１８を適宜、変形するようにしてもよい。
また、本動作例では、局部洗浄に伴いノズル殺菌モードが実行される態様とした例を示しているが、このような態様に代えて、または加えて、局部洗浄の実行有無に関わらず、ノズル１２の殺菌が可能な構成としてもよい。この場合は、便器装置１に、ノズル殺菌モードを実行するためのノズル殺菌操作部等を設けた態様としてもよい。
【００３２】
本実施形態に係る便器装置１は、上述のような構成としたことで、ノズル１２の清浄性を向上させることができる。
つまり、殺菌光照射部２０とノズル１２を進退方向に沿う軸廻りに回転させる回転駆動部１８とを制御して殺菌光を照射させた状態でノズル１２を軸廻りに回転させる制御部２１を備えた構成としている。従って、進出状態とされたノズル１２の一方側の外周面のみならず、進出状態とされたノズル１２の外周面の全周に亘って殺菌光を照射することができる。これにより、ノズル１２の外周面等において細菌が繁殖するようなことを抑制することができ、ノズル１２の清浄性を向上させることができる。
【００３３】
また、本実施形態では、回転駆動部１８を、給水元に接続されるノズル１２の給水管１４に対して、この給水管１４を収容するノズル本体１３を軸廻りに回転させる構成としている。従って、給水管１４とともにノズル本体１３を回転させるようなものと比べて、給水管１４における水漏れ等を抑制することができ、構造の簡略化を図ることができる。なお、このような態様に代えて、ノズル本体１３とともに給水管１４を回転させる構成としてもよく、さらには、ノズル１２を二重筒構造とした態様に代えて、単筒構造とし、このノズル１２を回転させる態様等としてもよい。
【００３４】
また、本実施形態では、局部洗浄が終了し、かつ便蓋８が閉鎖された状態で、殺菌光を照射させながらノズル１２を軸廻りに回転させるようにしている。従って、ノズル１２の殺菌が必要となる局部洗浄がなされる毎に、ノズル１２を殺菌することができる。また、便蓋８が閉鎖された状態で殺菌光の照射がなされるので、人体に対する殺菌光の影響を抑制することができる。
また、本実施形態では、殺菌光照射部２０を、進出状態とされたノズル１２に加え、ボウル部２の内面に殺菌光を照射可能な構成としている。従って、ボウル部２の内面の清浄性を向上させることもできる。
【符号の説明】
【００３５】
１              便器装置
８              便蓋
１２            ノズル
１３            ノズル本体
１３ａ          ノズル孔
１４            給水管
１４ａ，１４ｂ  吐出孔
１８            回転駆動部
２０            殺菌光照射部
２１            制御部
【図１】
2017008605.tif 000003
【図２】
2017008605.tif 000004
【図３】
2017008605.tif 000005
【図４】
2017008605.tif 000006